(57)【要約】【課題】  本発明は、容易に足裏に装着できるものであって、足裏に対して抗菌作用、抗真菌作用又は抗ウイルス作用のいずれか一つ以上の作用の効果を発揮し、かつ、その効果の反復持続を可能とし、しかも足裏に対して土踏まずのツボを刺激し、血行をよくする等のマッサージ効果を備えた足裏マッサージ具セット及びその使用方法を提供するものである。【解決手段】本発明に係る足裏マッサージ具セットは、足裏マッサージ具Ａと、抗菌作用、抗真菌作用又は鎮痛作用、消炎作用、抗ウイルス作用のいずれか一つ以上の作用を有する精油を含浸させた含浸部材Ｂと、収納容器Ｃとからなる足裏マッサージ具セットであって、足裏マッサージ具Ａは足裏に当接するマッサージ具本体１０を備え、マッサージ具本体１０は、その全体又は一部がシリコン樹脂又はウレタン樹脂により構成されたものである。【選択図】  図１
2017153568.tif 000002
【特許請求の範囲】
【請求項１】
足裏マッサージ具と、抗菌作用、抗真菌作用、抗ウイルス作用、鎮痛作用又は消炎作用のいずれか一つ以上の作用を有する精油を含浸させた含浸部材と、密閉可能な収納容器とからなる足裏マッサージ具セットであって、
前記足裏マッサージ具は足裏に当接するマッサージ具本体を備え、
前記マッサージ具本体は、その全体又は一部がシリコン樹脂又はウレタン樹脂又はそれらの複合樹脂により構成されている
ことを特徴とする足裏マッサージ具セット。
【請求項２】
前記マッサージ具本体は、足裏に当接する部分に適宜の間隔をおいて複数の突起部が形成されている
ことを特徴とする請求項１に記載の足裏マッサージ具セット。
【請求項３】
前記突起部は、磁石体を配設することにより形成されている
ことを特徴とする請求項２に記載の足裏マッサージ具セット。
【請求項４】
前記マッサージ具本体は、足の土踏まずの部分に当接する部分の上面が凸曲面をなす曲面部である
ことを特徴とする請求項１〜３のいずれか１項に記載の足裏マッサージ具セット。
【請求項５】
前記マッサージ具本体は、その両側縁に装着バンドが着脱自在に又は固定して取り付けられている
ことを特徴とする請求項１〜４のいずれか１項に記載の足裏マッサージ具セット。
【請求項６】
前記含浸部材に含浸させた精油が、テルペン系炭化水素、アルコール類、芳香族アルコール類、アルデヒド類、ケトン類、カルボン酸類、エステル類、オキシド類、ラクトン類のうちのいずれか１種又は複数種の芳香成分を含む
ことを特徴とする請求項１〜５のいずれか１項に記載の足裏マッサージ具セット。
【請求項７】
前記含浸部材に含浸させた精油が、テルペン系炭化水素、アルコール類のうちのいずれか１種又は複数種の芳香成分を３０重量％以上含有する
ことを特徴とする請求項１〜６のいずれか１項に記載の足裏マッサージ具セット。
【請求項８】
足裏に当接し、全体又は一部がシリコン樹脂又はウレタン樹脂により構成され、適宜の間隔をおいて複数の突起部が形成され、足の土踏まずの部分に当接する部分の上面が凸曲面をなす曲面部であるマッサージ具本体の両側縁に装着バンドが取り付けられた足裏マッサージ具と、抗菌作用、抗真菌作用、抗ウイルス作用、鎮痛作用又は消炎作用のいずれか一つ以上の作用を有する精油を含浸させた含浸部材と、密閉可能な収納容器とを使用し、
前記収納容器に前記精油を含浸させた含浸部材と前記足裏マッサージ具を収納して一定時間密閉し、含浸部材に含浸させた精油の芳香成分をマッサージ具本体のシリコン樹脂又はウレタン樹脂に移行させ、
精油の芳香成分がマッサージ具本体に移行した足裏マッサージ具を収納容器から取り出して足の土踏まずの部分に曲面部の突起部が当接するように装着バンドにより足に装着する
ことを特徴とする足裏マッサージ具セットの使用方法。
【発明の詳細な説明】
【技術分野】
【０００１】
本発明は、足裏マッサージ具セット及びその使用方法に関し、特に、芳香を放つと共に抗菌作用、抗真菌作用、抗ウイルス作用、鎮痛作用又は消炎作用のいずれか一つ以上の作用を有し、かつ、土踏まずのツボを刺激し、血行をよくすることができ、反復使用が可能な足裏マッサージ具セット及びその使用方法に関する。
【背景技術】
【０００２】
従来より、精油を使用した足裏からのアロママッサージが足の疲労回復に効果があることが知られている。アロママッサージを行うときには、マッサージオイルを媒体として精油を１％以下の濃度になるように希釈して使用されている。これは精油の濃度が１％を越えると肌に問題が生じることを回避するためである。
【０００３】
また、足裏マッサージ具については下記特許文献１〜６に記載のものが知られている。
【０００４】
下記特許文献１には、指圧パーツを荷重作用方向への変位が許容された状態でクッション材に設置し、クッション材と指圧パーツとを吸汗性の布地カバーで覆った足裏指圧サポーターが示されており、クッション材にはシリコン系の樹脂が使用され、指圧パーツ４には磁石が使用されていることが示されている。
【０００５】
下記特許文献２には、膨らみを有する、あるいは膨らみ上部に突起を有するパッド部と、パッド部と一体をなす足締め付けバンドからなる健康足バンドが示されており、突起の頭部数カ所に強磁性の磁石が埋め込まれていることが示されている。
【０００６】
下記特許文献３には、取付け帯がマットに張り付けられ、取付け帯の一端の表側と他端の裏側とに一対の面ファスナーが縫い付けられ、取付け帯は、面ファスナーによりマットを足裏に当てた状態で足の甲を覆うよう取付け可能であり、柔軟性の３個の突起部がマットの足裏に当たる部分に固定され、磁石が突起部の各頂点に固定される足裏マッサージ具が示されている。
【０００７】
下記特許文献４には、足のサイズに拘わらず足部を自在に着脱固定する伸縮自在な帯状ベルトに面ファスナーまたは複数のフック及び複数のフック孔を設けた、自在に着脱可能な装着手段を具備し、その帯状ベルトの中央部に足裏土踏まずのツボを指圧刺激する、ゴムまたは可塑性樹脂からなる半円球体突起部を設け、突起部の先端にマグネットを埋込固定、もしくは半円球体突起部の部材にトルマリン鉱石粉粒体を添加、または前記突起部にトルマリン鉱石粒体を封入した健康用具が示されている。
【０００８】
下記特許文献５には、上面を中高に形成した楕円形板状体を軟質塩化ビニール又はゴム等の弾性に富む材料により形成し、この楕円形板状体の長軸方向に沿って数個の粒状磁石を磁極が上面に露出するように適当な間隔をおいて埋設し、ゴムバンド等の２本の弾性バンドを架け渡して足に嵌着できる土踏まず用磁気サポーターが示されている。
【０００９】
下記特許文献６には、平面を弧面状に成形し、突状側上面に複数の半球状突起を突設した弧状曲面板に平面状底板を被蓋した押圧具本体の対応する側縁部間を、伸縮性を有するバンドにより連結し、弧状曲面板と平板状底板の空間部に脱臭剤を収納してなる人体の壷押圧具が示されている。
【００１０】
以上のように、マッサージ具本体にシリコン樹脂が使用され、マッサージ具本体の足裏に当接する部分に適宜の間隔をおいて、磁石体を配設した突起部が形成され、土踏まずの部分に当接する部分の上面が凸曲面をなす曲面部であり、両側縁に装着バンドが取り付けられ、曲面部内部に脱臭剤が収納されたマッサージ具が知られている。
【００１１】
下記特許文献７には、シリコンゴム成形体内部に空洞部分を設けて、その空洞部分に、芳香剤や忌避剤などに代表される揮発性成分を有する液体、個体、ゲル状体、粉体あるいは、臭気などを吸引吸着する物質を封入密封して、シリコンゴム内部の空洞壁面を通して、徐々に外部へ芳香や忌避物質を揮散させるなり、あるいは、臭気を吸引できるように、持続的、安定的な効果を持たせた芳香や忌避および消臭などの効果を有するシリコンゴム成形体が示されており、揮発性成分として忌避剤とされるレモンユーカリ精油及び芳香剤としてはローズの芳香を放つローズオイル、臭気などを吸引吸着する物質として消臭剤粉末のシュークレンズを使用する例が示されている。
【００１２】
また、下記特許文献８には、気密性を有する袋容器に、薄膜のポリエチレン製フイルムで包装した芳香成分や虫よけ成分などの揮発性物質を含む薬液を含浸させたパルプ製チップと、一般成形用ミラブル型シリコンゴム製の成形品とを同封密封し、前記一般成形用ミラブル型シリコンゴム製の成形品に芳香成分や虫よけ成分などの揮発性物質を吸着させて使用し、使用により芳香や虫よけの効果がなくなれば改めて芳香成分や虫よけ成分を吸着させることにより、芳香や虫よけなどの揮発性物質を長期に亘って効果的持続的に利用できる揮発性物質の反復吸着用簡易セットが示されており、芳香成分や虫よけ成分などの揮発性物質としてレモンユーカリ、ローズ、ペパーミント及びラベンダーの精油を使用する例が示されている。
【先行技術文献】
【特許文献】
【００１３】
【特許文献１】特開２００４−３５８２６８号公報
【特許文献２】実開平７−４３０８２号公報
【特許文献３】実用新案登録第３０２３７５２号公報
【特許文献４】実用新案登録第３１０２１４５号公報
【特許文献５】実公昭５６−２６７３１号公報
【特許文献６】実公平６−２０５２２号公報
【特許文献７】特開２０１５−３０８４７号公報
【特許文献８】実用新案登録第３１５５４１５号公報
【発明の概要】
【発明が解決しようとする課題】
【００１４】
しかしながら、上記特許文献１〜６に示される足裏マッサージ具は、足裏のマッサージ効果を主とするものであり、抗菌作用、抗真菌作用、抗ウイルス作用、鎮痛作用又は消炎作用の効果を発揮するものではない。
【００１５】
また、上記特許文献７及び８に示されるシリコンゴム成形体や揮発性物質の反復吸着用簡易セットは、芳香剤や忌避剤などに代表される揮発性成分としてユーカリ、ローズ、ペパーミント及びラベンダーの精油を使用することが示され、消臭剤としてシュークレンズを使用して、芳香作用、虫除け作用又は消臭作用の効果を奏するものであるが、足裏に対するものではなく、足裏に対する抗菌作用、抗真菌作用又は抗ウイルス作用の効果を発揮するものではない。
【００１６】
本発明者は、鋭意研究した結果、容易に足裏に装着できるものであって、足裏に対して抗菌作用、抗真菌作用、抗ウイルス作用、鎮痛作用又は消炎作用のいずれか一つ以上の作用の効果を発揮し、かつ、その効果の反復持続を可能とし、しかも足裏に対して土踏まずのツボを刺激し、血行をよくする等のマッサージ効果を備えた足裏マッサージ具セット及びその使用方法を発明した。
【課題を解決するための手段】
【００１７】
本発明に係る足裏マッサージ具セットは、足裏マッサージ具と、抗菌作用、抗真菌作用、抗ウイルス作用、鎮痛作用又は消炎作用のいずれか一つ以上の作用を有する精油を含浸させた含浸部材と、密閉可能な収納容器とからなる足裏マッサージ具セットであって、前記足裏マッサージ具は足裏に当接するマッサージ具本体を備え、前記マッサージ具本体は、その全体又は一部がシリコン樹脂又はウレタン樹脂又はそれらの複合樹脂により構成されていることを特徴とするものである。
【００１８】
上記構成に係る足裏マッサージ具セットにおいて、前記マッサージ具本体は、足裏に当接する部分に適宜の間隔をおいて複数の突起部が形成されている構成としてもよい。
【００１９】
また、上記構成に係る足裏マッサージ具セットにおいて、前記突起部は、磁石体を配設することにより形成されている構成としてもよい。
【００２０】
さらに、上記各構成に係る足裏マッサージ具セットにおいて、前記マッサージ具本体は、足の土踏まずの部分に当接する部分の上面が凸曲面をなす曲面部である構成としてもよい。
【００２１】
さらにまた、上記各構成に係る足裏マッサージ具セットにおいて、前記マッサージ具本体は、その両側縁に装着バンドが着脱自在に又は固定して取り付けられている構成としてもよい。
【００２２】
また、上記各構成に係る足裏マッサージ具セットにおいて、前記含浸部材に含浸させた精油が、テルペン系炭化水素、アルコール類、芳香族アルコール類、アルデヒド類、ケトン類、カルボン酸類、エステル類、オキシド類、ラクトン類のうちのいずれか１種又は複数種の芳香成分を含む構成としてもよい。
【００２３】
さらに、上記各構成に係る足裏マッサージ具セットにおいて、前記含浸部材に含浸させた精油が、テルペン系炭化水素、アルコール類のうちのいずれか１種又は複数種の芳香成分を３０重量％以上含有する構成としてもよい。
【００２４】
本発明に係る足裏マッサージ具セットの使用方法は、足裏に当接し、全体又は一部がシリコン樹脂又はウレタン樹脂により構成され、適宜の間隔をおいて複数の突起部が形成され、足の土踏まずの部分に当接する部分の上面が凸曲面をなす曲面部であるマッサージ具本体の両側縁に装着バンドが取り付けられた足裏マッサージ具と、抗菌作用、抗真菌作用、抗ウイルス作用、鎮痛作用又は消炎作用のいずれか一つ以上の作用を有する精油を含浸させた含浸部材と、密閉可能な収納容器とを使用し、前記収納容器に前記精油を含浸させた含浸部材と前記足裏マッサージ具を収納して一定時間密閉し、含浸部材に含浸させた精油の芳香成分をマッサージ具本体のシリコン樹脂又はウレタン樹脂に移行させ、精油の芳香成分がマッサージ具本体に移行した足裏マッサージ具を収納容器から取り出して足の土踏まずの部分に曲面部の突起部が当接するように装着バンドにより足に装着することを特徴とする。
【発明の効果】
【００２５】
本発明に係る足裏マッサージ具セット及びその使用方法は、上記のように構成したことにより、容易に足裏に装着でき、足裏に対して抗菌作用、抗真菌作用、抗ウイルス作用、鎮痛作用又は消炎作用のいずれか一つ以上の作用の効果を発揮し、かつ、足裏に対して土踏まずのツボを刺激し、血行をよくする等のマッサージ効果を備え、しかもその効果の反復持続を可能としたものである。
【図面の簡単な説明】
【００２６】
【図１】実施例１に係る足裏マッサージ具セット全体の斜視図である。
【図２】実施例１に係る足裏マッサージ具の斜視図である。
【図３】実施例１に係る足裏マッサージ具を足に装着した状態を示す斜視図である。
【図４】足裏マッサージ具の第１の変更例であり、図中の（ａ）は平面図であり、図中の（ｂ）は正面図である。
【図５】足裏マッサージ具の第２の変更例である。
【図６】実施例１に係る含浸部材の斜視図である。
【図７】実施例１に係る収納容器の斜視図である。
【図８】収納容器に足裏マッサージ具及び含浸部材を収納した状態を示す斜視図である。
【発明を実施するための形態】
【００２７】
以下、本発明に係る足裏マッサージ具セットの好適な実施例を添付の図面に基づいて詳細に説明する。
【実施例１】
【００２８】
本実施例に係る足裏マッサージ具セットは、図１に示すように、足裏マッサージ具Ａ、含浸部材Ｂ及び収納容器Ｃとから構成される。
【００２９】
前記の足裏マッサージ具Ａは、図２に示すように、足の土踏まずの個所にあてがうマッサージ具本体１０とその左右に延びる装着バンド２０とを備えている。
【００３０】
前記足裏マッサージ具本体１０は、その全体が伸縮性を有するシリコン樹脂で形成された平面視で半月状をなすものである。その底面は平坦であり、上面は膨らんだ凸曲面をなす形状をなしている。すなわち、半月状の弦の中央部分は厚く盛り上がった曲面部１１であり、曲面部１１から半円状の円弧部１２にかけてなだらかに薄くなる形状に形成されていて、足裏の土踏まずの個所にフィットするように構成されている。また、マッサージ具本体１０の曲面部１１上面には、複数の突起部１３が形成されており、当該突起部１３には磁石１４が配設されている。
【００３１】
前記の装着バンド２０は、マッサージ具本体１０と同様に伸縮性を有するシリコン樹脂で帯状に形成されたものであり、マッサージ具本体１０の左右それぞれに２本ずつ一体的に形成されている。そして、装着バンド２０のそれぞれの遊離端部には面ファスナーが取り付けられていて端部同士が互いに接合可能になっている。すなわち、一方の端部の上面には面ファスナーのフック部２１ａが取り付けられ、他方の端部の下面には面ファスナーのループ部２１ｂが取り付けられていて、面ファスナーのフック部２１ａとループ部２１ｂとが接合するようになっている。
【００３２】
図３は、上記足裏マッサージ具Ａを足に装着した状態を示し、足裏マッサージ具本体１０を足裏の土踏まずの個所にあてがい、足の甲側で装着バンド２０の各端部同士を接合して足に装着される。
【００３３】
以上のように足裏マッサージ具Ａが構成されていることにより、足裏マッサージ具本体１０を足裏に装着した状態において体重がかかっても足裏マッサージ具本体１０が適度に収縮して違和感を抱かせることがない。なお、シリコン樹脂に代えてウレタン樹脂を使用してもよく、それらの複合樹脂を使用してもよい。なお、足裏マッサージ具Ａ、特に足裏マッサージ具本体１０を形成するシリコン樹脂やウレタン樹脂は、後述するように、含浸部材Ｂに含浸させた精油の芳香成分がシリコン樹脂やウレタン樹脂に短時間で移行し、かつ、緩やかに揮散する性質がある。
【００３４】
また、上面に形成された突起部１３により足裏のツボが押されるので、マッサージ効果があり、さらに突起部１３に配設された磁石１４は血行を促進させる効果がある。さらに、上記装着バンド２０は、２本それぞれが互いに接合できるので、足の甲側で接合する際に足裏マッサージ具Ａの装着位置により足の周囲長さが異なっていても適度に調整ができるので、無理な締め付け感を感じさせることがない。
【００３５】
なお、足裏マッサージ具本体１０及び装着バンド２０は、本実施例の形態に限られるものではなく、図４に示すように、足裏マッサージ具本体１１０は楕円型で上面中央部が盛り上がった曲面部１１１を有し、当該曲面部１１１上面に、複数の突起部１１３を形成し、当該突起部１１３には磁石１１４が配設し、足裏マッサージ具本体１１０の左右に幅広の装着バンド１２０を１本ずつ配した構成としてもよい。
【００３６】
また、図５に示すように、装着バンドを一体に備えておいない足裏マッサージ具本体２１０であって、装着バンドは別途に備えていて着脱自在とし、かつ、装着バンドは足裏マッサージ具本体２１０と異なる材質であってもよい。
【００３７】
さらに、装着バンドの接合手段は面ファスナーに限られるものではない。
【００３８】
図６は、含浸部材Ｂを示し、矩形状のパルプ紙よりなる基材３０に精油を含浸させたものである。
【００３９】
基材３０に含浸させる精油としては、テルペン系炭化水素（カンフェン、リモネン、テルピネン、ピネン、セビネン、ミルセン、パラシメン等のモノテルペン炭化水素類及びアズレン、カマズレン、サンタレン、β−カリオフィレン、β−ビサボレン、ブルネッセン等のセスキテルペン炭化水素類等）、アルコール類（シトロネロール、ゲラ二オール、リナロール、Ｌ−メントール、テルピネオール、ツヤノール、テルピネン等のモノテルペンアルコール類、アズレン、カマズレン、サンタロール、ネロリドール、ブルネッセン、ファルネセン等のセスキテルペンアルコール類及びスクラレオール、フィトール等のジテルペンアルコール類等）、芳香族アルコール類（アネトール、カルバクロール、オイゲノール、チモール、チャビコール等のフェノール類、トランスアネトール、チャコピコールメチルエーテルう、サフロール等のフェノールエーテル類等）、アルデヒド類（シトラール、シトロネラール等のテルペン系アルデヒド類及びクミンアルデヒド等の芳香族アルデヒド類等）、ケトン類（ボルネオン、ジャスモン、クリプトン、ベルベノン、ツヨン、ピノカルポン、メントン、フェンコン、カルボン、ヌーカトン等）、カルボン酸類、エステル類（酢酸ベンジル、酢酸リナリル）、オキシド類（１，８シネオール（ユーカリプトール）、アスカリドール、ビサボロールオキサイド等）、ラクトン類（ジャスミンラクトン、クマリン、ベルガプテン等）のうちのいずれか１種又は複数種を芳香成分に含むものが好ましい。
【００４０】
上記のテルペン系炭化水素には、消毒作用、殺菌作用、抗炎症作用、鎮痛作用、抗ウイルス作用、うっ滞除去作用、コーチゾン（ステロイド）様作用、抗アレルギー作用、抗ヒスタミン作用を発揮するものが含まれている。
【００４１】
上記のアルコール類には、消毒作用、殺菌作用、抗菌作用、抗ウイルス作用、抗真菌作用、鎮痛作用、皮膚弾力回復作用、収斂作用、抗炎症作用、抗アレルギー作用、強心作用、抗マラリア活性、鎮静作用、ホルモン様作用、止血作用、ホルモン調整作用を発揮するものが含まれている。
【００４２】
上記の芳香族アルコール類には、消毒作用、抗菌作用、抗ウイルス作用、抗真菌作用、免疫力向上作用、加温作用、強壮作用、駆虫作用、エストロゲン様作用、消化促進作用、駆風作用、殺虫作用、昆虫忌避作用、鎮痛作用、抗アレルギー作用、抗痙攣作用を発揮するものが含まれている。
【００４３】
上記のアルデヒド類には、抗ヒスタミン作用、抗真菌作用、抗菌作用、抗炎症作用、抗ウイルス作用、昆虫忌避作用、鎮痛作用、昆虫忌避作用、鎮静作用、麻酔作用、胆汁分泌促進作用、駆風作用を発揮するものが含まれている。
【００４４】
上記のケトン類には、粘液溶解作用、脂肪分解作用、去痰作用、はんこん形成作用、筋肉弛緩作用、賦活作用、昆虫忌避作用、胆汁分泌促進作用を発揮するものが含まれている。
【００４５】
上記のエステル類には、抗炎症作用、抗痙攣作用、神経系の鎮静作用、強壮作用、興奮作用を発揮するものが含まれている。
【００４６】
上記のオキシド類には、去痰作用、抗炎症作用、免疫調整作用、疫粘液溶解作用、抗カタル作用を発揮するものが含まれている。
【００４７】
上記のラクトン類には、粘液分泌調整作用、去痰作用、脂肪分解作用、血液流動化作用、抗痙攣作用を発揮するものが含まれている。
【００４８】
なお、基材３０の形態は矩形状に限られるものではなく、また、その材質もパルプ紙に限られるものではない。
【００４９】
図７は、収納容器Ｃを示し、当該収納容器Ｃは、前記の足裏マッサージ具Ａ及び含浸部材Ｂが収納可能な大きさであって、密閉可能な袋状の容器である。すなわち、当該収納容器Ｃは、気体透過性を低くするためにポリエステルフィルムとアルミニウム箔との積層フィルムにポリエチレン塗工膜積層した３層の複合フィルムを使用し、３辺を溶着して袋状に形成したものであり、開口部４０にはポリエチレン製のチャック４１が配されていて、開口部４０の閉塞時には収納容器Ｃ内部の気密性を高めると共に、開閉し易くなることから収納容器Ｃから足裏マッサージ具Ａを出し入れすることが容易になる。
【００５０】
なお、当該収納容器Ｃは、前記のものに限られるものではなく、開閉蓋を有する直方体形状等の適宜の形態をなす立体状の容器であってもよく、その材質も上記のものに限られるものではない。収納容器内部の気密性が高く、足裏マッサージ具Ａの出し入れが容易なものであればよい。
【００５１】
図８は、密閉性のある収納容器Ｃに足裏マッサージ具Ａ及び精油を含浸させた含浸部材Ｂを封入した状態を示し、図示するように、収納容器Ｃに足裏マッサージ具Ａ及び含浸部材Ｂを封入していると、含浸部材Ｂに含浸されている精油が足裏マッサージ具Ａに急速に移行する。精油が移行した足裏マッサージ具Ａを収納容器Ｃから取り出し、図３に示すように、当該足裏マッサージ具Ａを足に装着すると、足裏マッサージ具Ａから精油の芳香成分が緩やかに揮散して精油の芳香成分が有する上記した種々の作用が足裏にもたらされる。同時に前述したように足裏マッサージ具Ａの上面に形成された突起部１３により足裏のツボが押されるのでマッサージ効果があり、さらに突起部１３に配設された磁石により血行を促進させる効果がある。
【００５２】
そして、使用により足裏マッサージ具Ａに移行した精油の芳香成分の揮散量が低下したときには、足裏マッサージ具Ａを前記含浸部材Ｂを収納した収納容器Ｃに収納して一定時間経過させれば、含浸部材Ｂに含浸している精油の芳香成分が足裏マッサージ具Ａに移行するので、足裏マッサージ具Ａの再度の使用が可能となる。このことを繰り返せば、反復使用が可能であって、精油の芳香成分による作用を持続させることができる。
【００５３】
次に、精油の芳香成分がシリコン樹脂に移行する速さ及びシリコン樹脂に移行した精油の芳香成分が揮散する速さを実測した。実測にはシリコン樹脂に対して０．１３ｇの芳香成分を使用した。
【００５４】
精油の芳香成分がシリコン樹脂に移行する速さについては、０．５時間経過後、芳香成分は０．０５ｇ移行し、１時間経過後、０．０７ｇ移行し、２時間経過後、０．０９ｇ移行し、３．５時間経過後、０．１０５ｇ移行し、５時間経過後、０．１２ｇ移行し、６．５時間経過後、０．１２５ｇ移行し、９時間経過後、芳香成分の全てである０．１３ｇが移行した。
【００５５】
シリコン樹脂に移行した精油の芳香成分が揮散する速さについて、上記の芳香成分０．１３ｇが移行したシリコン樹脂の揮散量を測定した。２．５時間経過後、０．０５ｇ揮散し、１０４．５時間経過後、０．０６ｇ揮散し、１７７．５時間経過後、０．１ｇ揮散して、シリコン樹脂に含有している芳香成分が０．０３ｇとなった。
【００５６】
以上のことから、足裏マッサージ具Ａを長期間使用して芳香成分が揮散しても、短時間で足裏マッサージ具Ａに芳香成分を移行させることができるので、本実施例における足裏マッサージ具セットは極めて便利であり、この足裏マッサージ具セットを２セット用意しておけば、両足に装着することができるので、さらに便利である。
【００５７】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００５８】
Ａ・・・足裏マッサージ具
１０・・マッサージ具本体
１１・・曲面部
１２・・円弧部
１３・・突起部
１４・・磁石
２０・・装着バンド
２１ａ・面ファスナーのフック部
２１ｂ・面ファスナーのループ部
Ｂ・・・含浸部材
３０・・基材
Ｃ・・・収納容器
４０・・開口部
４１・・チャック
１１０・足裏マッサージ具本体
１１１・曲面部
１１３・突起部
１１４・磁石
１２０・装着バンド
２１０・足裏マッサージ具本体
【図１】
2017153568.tif 000003
【図２】
2017153568.tif 000004
【図３】
2017153568.tif 000005
【図４】
2017153568.tif 000006
【図５】
2017153568.tif 000007
【図６】
2017153568.tif 000008
【図７】
2017153568.tif 000009
【図８】
2017153568.tif 000010